【誤訳訂正書】
【提出日】平成25年8月14日(2013.8.14)
【誤訳訂正１】
【訂正対象書類名】特許請求の範囲
【訂正対象項目名】全文
【訂正方法】変更
【訂正の内容】
【特許請求の範囲】
【請求項１】
入来ガス流からガス成分を回収するための方法であって、以下の工程、
ａ）気液接触装置に前記入来ガス流が通され、該気液接触装置において、前記入来ガス流が、冷却された希薄水性吸収媒体と接触されて、もって前記入来ガス流から前記ガス成分の少なくとも一部を前記希薄水性吸収媒体に移行させ、それにより、希薄処理ガス流及び濃厚水性吸収媒体を形成する工程、
ｂ）前記濃厚水性吸収媒体を、前記気液接触装置から再生器に移送し、該濃厚水性吸収媒体が、前記気液接触装置と、前記再生器との間にある第１の熱交換器への通過により、加熱される工程、
ｃ）前記再生器における高温において、加熱された前記濃厚水性吸収媒体からガス成分の少なくとも一部を脱着して、ガス成分を含む加熱された頭上ガス流と、加熱再生された希薄水性吸収媒体とを形成する工程、
ｄ）前記加熱再生された希薄水性吸収媒体を、前記第１の熱交換器を通して、前記再生器から前記気液接触装置に移送する工程であって、前記第１の熱交換器において、熱の少なくとも一部が、再生された前記希薄水性吸収媒体から回収され、もって、部分的に冷却され再生された希薄水性吸収媒体を形成する工程、
ｅ）加熱された前記頭上ガス流を、凝縮器を通して流動させて、そこから、加熱流及び冷却された濃縮体を回収する工程、
ｆ）前記加熱流の少なくとも一部を再循環させて脱着工程に戻す工程、
ｇ）希薄処理ガス流を、第２の熱交換器を通して、そこから、冷却された第２の濃縮物を回収する工程、及び
ｈ）前記冷却された第２の濃縮物を、部分的に冷却再生された希薄水性吸収媒体と混合して、冷却された希薄水性吸収媒体を、前記気液接触装置に供給する工程、
を含むことを特徴とする方法。
【請求項２】
前記入来ガス流を前記気液接触装置に通す前に、熱が、前記入来ガス流から、前記頭上ガス流から回収された前記冷却された第１の凝縮物に移動される、請求項１に記載の方法。
【請求項３】
前記加熱流が凝縮器を通されて、そこから、二酸化炭素が濃厚となったガス流を回収する、請求項１に記載の方法。
【請求項４】
水蒸気を導入して前記脱着工程に熱を供給し、かつ復水を形成する工程及び前記復水をフラッシュさせてフラッシュ水蒸気を形成する工程をさらに含み、熱が、前記フラッシュ水蒸気から前記加熱流に移動される、請求項１に記載の方法。
【請求項５】
熱が、前記再生水性吸収媒体から前記加熱流に移動される、請求項１に記載の方法。
【請求項６】
再生された前記希薄水性吸収媒体が、前記第１凝縮流と混合される、請求項１〜５のいずれか１項に記載の方法。
【請求項７】
再生された前記希薄水性吸収媒体が、前記工程（ａ）に向かう第１凝縮流の少なくとも一部及び前記希薄処理ガス流から回収された第２凝縮流の少なくとも一部と混合され、請求項１〜５のいずれか１項に記載の方法。
【請求項８】
再生された前記希薄水性吸収媒体が、前記第１凝縮流の少なくとも一部と、部分的に冷却され再生された前記希薄水性吸収媒体から回収された第３の凝縮流の少なくとも一部と混合される、請求項１〜５のいずれか１項に記載の方法。
【請求項９】
熱が、前記入来ガス流から前記濃厚水性吸収媒体又は半希薄水性吸収媒体の少なくとも１つに移動される、請求項１に記載の方法。
【請求項１０】
熱を前記脱着工程に提供し、復水を形成する工程、及び該復水をフラッシュしてフラッシュ水蒸気を形成する工程をさらに含み、熱が、前記フラッシュ水蒸気から、前記濃厚水性吸収媒体又は前記半希薄水性吸収媒体の少なくとも１つに移動される、請求項１に記載の方法。
【請求項１１】
熱が、前記再生水性吸収媒体から、前記濃厚水性吸収媒体又は前記半希薄水性吸収媒体の少なくとも１つに移動する、請求項１に記載の方法。
【請求項１２】
熱が、加熱された前記濃厚水性吸収媒体が、第１の濃厚水性吸収媒体と、第２の濃厚水性吸収媒体とを含み、該第２濃厚水性吸収媒体が、前記第１凝縮流の少なくとも一部を（ａ）工程に移送して、前記第１凝縮流の少なくとも一部が、前記希薄水性吸収媒体と混合して、前記濃厚水性吸収媒体を形成し、その濃厚水性吸収媒体が、次いで前記第１濃厚水性吸収媒体部分と、前記第２濃厚水性吸収媒体部分とに分けられる、請求項１に記載の方法。
【請求項１３】
熱が、前記入来ガス流から、前記濃厚水性吸収媒体、前記第１濃厚水性吸収媒体部分又は前記第２濃厚水性吸収媒体部分のいずれか一つに移動される、請求項１２に記載の方法。
【請求項１４】
熱が、前記頭上ガス流から、前記濃厚水性吸収媒体、前記第１濃厚水性吸収媒体部分又は前記第２濃厚水性吸収媒体部分の少なくとも１つに移動される、請求項１２に記載の方法。
【請求項１５】
水蒸気を導入して前記脱着工程に熱を供給し、かつ復水を形成する工程及び前記復水をフラッシュさせてフラッシュ水蒸気を形成する工程をさらに含み、熱が、該フラッシュ流から、前記濃厚水性吸収媒体、前記第１濃厚水性吸収媒体部分又は前記第２濃厚水性吸収媒体部分の少なくとも１つに移動される、請求項１２に記載の方法。
【請求項１６】
熱が、再生水性吸収媒体から、前記濃厚水性吸収媒体、前記第１濃厚水性吸収媒体部分又は前記第２濃厚水性吸収媒体部分の少なくとも１つに移動される、請求項１２に記載の方法。
【請求項１７】
希薄処理ガス流の少なくとも１部を処理して第２凝縮流を回収する工程をさらに含み、該希薄処理ガス流が、第１の混合凝縮流部分と、第２混合凝縮流部分とを含み、該第２の混合凝縮流部分が、前記第１の混合凝縮流の少なくとも１部を、前記第２混合凝縮流の少なくとも１部と混合して、混合凝縮流と形成し、次いで前記混合凝縮流を前記第１混合凝縮流部分と、前記第２混合凝縮流部分とに分けることにより由来する、請求項１に記載の方法。
【請求項１８】
熱が、前記入来ガス流から、前記混合凝縮流、前記第１混合凝縮流部分又は前記第２混合凝縮流部分の少なくとも１つへ移動される、請求項１７に記載の方法。
【請求項１９】
熱が、前記頭上ガス流から、前記混合凝縮流、前記第１混合凝縮流部分又は前記第２混合凝縮流部分の少なくとも１つに移動される、請求項１７に記載の方法。
【請求項２０】
水蒸気を導入して前記脱着工程に熱を供給し、かつ復水を形成する工程及び前記復水をフラッシュさせてフラッシュ水蒸気を形成する工程をさらに含み、熱が、前記フラッシュ水蒸気から、前記混合凝縮流、前記第１混合凝縮流部分又は前記第２混合凝縮流部分の少なくとも１つに移動される、請求項１７に記載の方法。
【請求項２１】
熱が、前記再生水性吸収媒体から、前記混合凝縮流、前記第１混合凝縮流部分又は前記第２混合凝縮流部分の少なくとも１つに移動される、請求項１７に記載の方法。
【請求項２２】
前記入来ガス流が、燃焼排ガスである、請求項１に記載の方法。
【請求項２３】
前記ガス成分が、二酸化炭素、硫化水素、二酸化イオウ、塩素及びアンモニアの少なくとも１つを含む、請求項１に記載の方法。
【請求項２４】
前記入来ガス流が、二酸化炭素からなる、請求項１に記載の方法。
【請求項２５】
前記希薄処理ガス流が、モノエタノールアミン、メチルジエタノールアミン及び溶媒の混合物であり、前記溶媒が、水、メタノール、エタノール、及びそのいずれかの組合せである、請求項１に記載の方法。
【請求項２６】
モノエタノールアミンとメチルジエタノールアミンのモル比が、1.5：１〜４：１であり、かつモノエタノールアミンとメチルジエタノールアミンの総モル濃度が、３モル／リットル〜９モル／リットルである、請求項２５に記載の方法。
【請求項２７】
モノエタノールアミンとメチルジエタノールアミンのモル比が、2.5：１であり、かつモノエタノールアミンとメチルジエタノールアミンの総モル濃度が、７モル／リットルである、請求項２６に記載の方法。
【誤訳訂正２】
【訂正対象書類名】明細書
【訂正対象項目名】００１７
【訂正方法】変更
【訂正の内容】
【００１７】
図１は、入来ガス流から二酸化炭素を回収するための従来技術の装置100を示す。ライン112の二酸化炭素を多く含んだ入来ガス流が気液接触装置114に供給され、そこでライン116で接触装置114に供給された希薄水性吸収媒体と接触する。入来ガス流112から二酸化炭素が吸収されて希薄処理ガス流を形成し、これがライン118によって接触装置114から出る。溶解した二酸化炭素を含む濃厚水性吸収媒体がポンプ140によりライン138で接触装置114から除去される。該濃厚水性吸収媒体138は直交流熱交換器142内で再生希薄水性吸収媒体と接触して加熱され、引き続きライン146で再生器144に供給される。水蒸気再沸器148から供給された熱による温度で再生器144が作動され、二酸化炭素が濃厚水性吸収媒体から脱着されて頭上ガス流を形成し、それがライン150で再生器144から出る。再生水性吸収媒体がライン164で再生器144から除去される。冷却水154が供給された凝縮器152を頭上ガス流150が通過して、頭上ガス流150から液体を凝縮する。この凝縮液を含有する頭上ガス流がライン156でフラッシュドラム158に送られ、ライン162の凝縮流から二酸化炭素濃厚生成ガス流をライン160に分離する。ライン162の凝縮流は再循環されて再生器144に戻る。
さらに図１を参照すると、水蒸気再沸器148からの熱を用いて、約80℃〜約160℃の範囲の相対的に高い温度で再生器144を作動させる。しかし、凝縮流162は約30℃〜約40℃の温度である。この相対的に冷たい凝縮流162を導入して再生器144へ戻すと、再生器144の作動温度を下げる。従って、濃厚水性吸収媒体から二酸化炭素を効率的に脱着させるのに最適な作動範囲まで温度を戻すため追加の熱が必要である。
【誤訳訂正３】
【訂正対象書類名】明細書
【訂正対象項目名】００２４
【訂正方法】変更
【訂正の内容】
【００２４】
溶解した二酸化炭素を含む濃厚水性吸収媒体がポンプ240により接触装置214からライン238で除去される。この濃厚水性吸収媒体は、直交流熱交換器242内で再生希薄水性吸収媒体と接触して加熱され、引き続きライン246で再生器244に供給される。水蒸気再沸器248から与えられた熱による温度で再生器244が作動され、濃厚水性吸収媒体から二酸化炭素が脱着されて頭上ガス流を形成し、これがライン250で再生器244から出る。頭上ガス流250が熱交換器202内で冷却され、引き続き凝縮器252に供給される。凝縮器252に冷却水254が供給されて頭上ガス流250から液体を凝縮する。この凝縮液を含有する頭上ガス流がライン256でフラッシュドラム258に送られてライン262の凝縮流から二酸化炭素濃厚生成ガス流をライン260に分離する。ライン262の凝縮流がポンプ263で除去されて熱交換器201に送られ、そこで再生希薄水性吸収媒体と接触して加熱される。この凝縮流が熱交換器202に送られ、そこでライン250の頭上ガス流と接触して加熱される。この凝縮流が熱交換器203に送られ、そこでライン212の入来ガス流と接触して加熱され、引き続き再循環されて再生器244に戻る。
【誤訳訂正４】
【訂正対象書類名】明細書
【訂正対象項目名】００２８
【訂正方法】変更
【訂正の内容】
【００２８】
溶解した二酸化炭素を含む濃厚水性吸収媒体がポンプ340により接触装置314からライン338で除去さされる。この濃厚水性吸収媒体338は、直交流熱交換器342内で再生水性吸収媒体と接触して加熱され、引き続きライン346で再生器344に供給される。水蒸気再沸器348から与えられた熱による温度で再生器344が作動され、二酸化炭素が濃厚水性吸収媒体から脱着されて頭上ガス流を形成し、これがライン350で再生器344から出る。冷却水354が供給された凝縮器352を頭上ガス流350が通過して頭上ガス流350から液体を凝縮する。この凝縮液を含有する頭上ガス流がライン356でフラッシュドラム358に送られ、ライン362の凝縮流から二酸化炭素濃厚生成ガス流をライン360に分離する。凝縮流362はミキサー332に送られ、最終的にポンプ336により再循環されてライン316で接触装置314に戻る。ライン362の頭上ガス流から回収された凝縮流の少なくとも一部が希薄水性吸収媒体と混合して接触装置314に供給されて濃厚水性吸収媒体を形成する。
【誤訳訂正５】
【訂正対象書類名】明細書
【訂正対象項目名】００４９
【訂正方法】変更
【訂正の内容】
【００４９】
溶解した二酸化炭素を含む濃厚水性吸収媒体がポンプ1340により接触装置1314からライン1338で除去される。この濃厚水性吸収媒体1338は直交流熱交換器1342内で再生水性吸収媒体と接触して加熱され、引き続きライン1346で再生器1344に供給される。水蒸気再沸器1348から与えられた熱による温度で再生器1344が作動され、二酸化炭素が濃厚水性吸収媒体から脱着されて頭上ガス流を形成し、これがライン1350で再生器1344から出る。頭上ガス流は熱交換器1302内で混合凝縮流と接触して冷却される。冷却水1354が供給された凝縮器1352を頭上ガス流が通過して頭上ガス流から液体を凝縮する。この凝縮液を含有する頭上ガス流がライン1356でフラッシュドラム1358に送られて、ライン1362の凝縮流から二酸化炭素濃厚生成ガス流をライン1360に分離する。凝縮流1362はミキサー1332に送られ、そこで凝縮流1330と混合されてライン1319の混合凝縮流を形成する。
ライン1319の混合凝縮流は熱交換器1301に送られ、そこで再生希薄水性吸収媒体と接触して加熱される。この混合凝縮流が熱交換器1302に送られ、そこで頭上ガス流と接触して加熱される。以下にさらに詳述するように、混合凝縮流の少なくとも一部は、蒸気流1370で再循環されて再生器1344に戻る。
【誤訳訂正６】
【訂正対象書類名】明細書
【訂正対象項目名】００５２
【訂正方法】変更
【訂正の内容】
【００５２】
溶解した二酸化炭素を含む濃厚水性吸収媒体がポンプ1440により接触装置1414からライン1438で除去される。この濃厚水性吸収媒体が熱交換器1401に送られ、そこで再生希薄水性吸収媒体と接触して加熱される。この濃厚水性吸収媒体が熱交換器1402に送られ、そこで頭上ガス流と接触して加熱される。この濃厚水性吸収媒体が熱交換器1442に送られ、そこで再生水性希薄吸収媒体と接触してさらに加熱され、引き続きライン1446で再生器1444に供給される。水蒸気再沸器1448から与えられた熱による温度で再生器1444が作動されて、二酸化炭素が濃厚水性吸収媒体から脱着されて頭上ガス流を形成し、これがライン1450で再生器1444から出る。この頭上ガス流は熱交換器1402内で濃厚水性吸収媒体と接触して冷却される。冷却水1454が供給された凝縮器1452を頭上ガス流が通過して、該頭上ガス流から液体を凝縮する。この凝縮液を含有する頭上ガス流がライン1456でフラッシュドラム1458に送られて、ライン1462の凝縮流から二酸化炭素濃厚生成ガス流をライン1460に分離する。凝縮流1462はミキサー1432に送られ、そこで凝縮流1430と混合されて混合凝縮流を形成する。
【誤訳訂正７】
【訂正対象書類名】明細書
【訂正対象項目名】００５８
【訂正方法】変更
【訂正の内容】
【００５８】
溶解した二酸化炭素を含む濃厚水性吸収媒体がポンプ1740により接触装置1714からライン1738で除去される。この濃厚水性吸収媒体が熱交換器1701に送られ、そこで再生希薄水性吸収媒体と接触して加熱される。この濃厚水性吸収媒体が次に２つの部分1738A、1738Bに分割される。濃厚水性吸収媒体の部分1738Aは熱交換器1742に送られ、そこで再生水性希薄吸収媒体と接触してさらに加熱され、引き続き再生器1744に供給される。濃厚水性吸収媒体の部分1738Bは熱交換器1702に送られ、そこで頭上ガス流と接触して加熱される。
水蒸気再沸器1748から復水がライン1768で除去されてフラッシュドラム1708に供給され、ライン1710のフラッシュ復水からフラッシュ水蒸気をライン1709に分離する。濃厚水性吸収媒体の部分1738Bは熱交換器1707に送られ、そこでライン1709のフラッシュ水蒸気と接触してさらに加熱され、引き続き再生器1744に供給される。水蒸気再沸器1748から与えられた熱による温度で再生器1744が作動され、二酸化炭素が濃厚水性吸収媒体から脱着されて頭上ガス流を形成し、これがライン1750で再生器1744から出る。この頭上ガス流は熱交換器1702内で濃厚水性吸収媒体と接触して冷却される。冷却水1754が供給された凝縮器1752を頭上ガス流が通過して、該頭上ガス流から液体を凝縮する。この凝縮液を含有する頭上ガス流がライン1756でフラッシュドラム1758に送られ、ライン1762の凝縮流から二酸化炭素濃厚生成ガス流をライン1760に分離する。凝縮流1762はミキサー1732に送られ、そこで凝縮流1730と混合されて混合凝縮流を形成する。
ライン1719の混合凝縮流が熱交換器1703に送られ、そこで入来ガス流と接触して加熱され、引き続き再生器1744に供給される。
【誤訳訂正８】
【訂正対象書類名】明細書
【訂正対象項目名】００６５
【訂正方法】変更
【訂正の内容】
【００６５】
溶解した二酸化炭素を含む濃厚水性吸収媒体がポンプ1940により接触装置1914からライン1938で除去される。この濃厚水性吸収媒体が熱交換器1942に送られ、そこで再生水性希薄吸収媒体と接触して加熱され、引き続きライン1946で再生器1944に供給される。水蒸気再沸器1948から与えられた熱による温度で再生器1944が作動され、二酸化炭素が濃厚水性吸収媒体から脱着されて頭上ガス流を形成し、これがライン1950で再生器1944から出る。頭上ガス流は熱交換器1902内で混合凝縮流と接触して冷却される。冷却水1954が供給された凝縮器1952を頭上ガス流が通過して頭上ガス流から液体を凝縮する。この凝縮液を含有する頭上ガス流がライン1956でフラッシュドラム1958に送られ、ライン1962の凝縮流から二酸化炭素濃厚生成ガス流をライン1960に分離する。凝縮流1962はミキサー1932に送られ、そこで凝縮流1930と混合されて混合凝縮流を形成する。
【誤訳訂正９】
【訂正対象書類名】明細書
【訂正対象項目名】００８９
【訂正方法】変更
【訂正の内容】
【００８９】
【表２】
2010527774.tif 000001
本発明の好ましい態様は、以下の通りである。
１．入来ガス流からガス成分を回収するための方法であって、以下の工程、
ａ）前記入来ガス流を希薄水性吸収媒体と接触させて、前記入来ガス流から前記ガス成分の少なくとも一部を吸収して希薄処理ガス流及び濃厚水性吸収媒体を形成する工程、
ｂ）前記濃厚水性吸収媒体から前記ガス成分の少なくとも一部を、頭上ガス流及び再生水性吸収媒体を形成するための温度で脱着させる工程、
ｃ）前記頭上ガス流の少なくとも一部を処理して第１凝縮流を回収する工程、
ｄ）前記第１凝縮流の少なくとも一部を用いて加熱流を形成する工程、
ｅ）前記加熱流の少なくとも一部を再循環させて前記脱着工程に戻す工程、
を含むことを特徴とする方法。
２．熱が、前記入来ガス流から前記加熱流に移動する、上記１に記載の方法。
３．熱が、前記頭上ガス流から前記加熱流に移動する、上記１又は２に記載の方法。
４．水蒸気を導入して前記脱着工程に熱を供給し、かつ復水を形成する工程及び前記復水をフラッシュさせてフラッシュ水蒸気を形成する工程をさらに含み、熱が、前記フラッシュ水蒸気から前記加熱流に移動する、上記１〜３のいずれか１項に記載の方法。
５．熱が、前記再生水性吸収媒体から前記加熱流に移動する、上記１〜４のいずれか１項に記載の方法。
６．前記加熱流が、前記第１凝縮流を含む、上記１〜５のいずれか１項に記載の方法。
７．前記加熱流が、前記第１凝縮流の少なくとも一部が前記希薄水性吸収媒体と混合して前記濃厚水性吸収媒体を形成するように、前記第１凝縮流の少なくとも一部を前記接触工程に供給することによって得られた前記濃厚水性吸収媒体を含む、上記１〜５のいずれか１項に記載の方法。
８．前記希薄処理ガス流の少なくとも一部を処理して第２凝縮流を回収する工程をさらに含み、前記加熱流が、前記第１凝縮流の少なくとも一部を前記第２凝縮流の少なくとも一部と混合して混合凝縮流を形成することによって得られた前記混合凝縮流を含む、上記１〜５のいずれか１項に記載の方法。
９．前記加熱流が、前記第１凝縮流の少なくとも一部が前記希薄水性吸収媒体と混合して前記濃厚水性吸収媒体を形成し、これが引き続きフラッシュされて濃厚蒸気流と半希薄水性吸収媒体を形成するように、前記第１凝縮流の少なくとも一部を前記接触工程に供給することによって得られた前記濃厚蒸気流と前記半希薄水性吸収媒体を含む、上記１に記載の方法。
１０．熱が、前記入来ガス流から前記濃厚水性吸収媒体又は前記半希薄水性吸収媒体の少なくとも１つに移動する、上記９に記載の方法。
１１．熱が、前記頭上ガス流から前記濃厚水性吸収媒体又は前記半希薄水性吸収媒体の少なくとも１つに移動する、上記９又は１０に記載の方法。
１２．水蒸気を導入して前記脱着工程に熱を供給し、かつ復水を形成する工程及び前記復水をフラッシュさせてフラッシュ水蒸気を形成する工程をさらに含み、熱が、前記フラッシュ水蒸気から前記濃厚水性吸収媒体又は前記半希薄水性吸収媒体の少なくとも１つに移動する、上記９〜１１のいずれか１項に記載の方法。
１３．熱が、前記再生水性吸収媒体から前記濃厚水性吸収媒体又は前記半希薄水性吸収媒体の少なくとも１つに移動する、上記９〜１２のいずれか１項に記載の方法。
１４．前記加熱流が、前記第１凝縮流の少なくとも一部が前記希薄水性吸収媒体と混合して前記濃厚水性吸収媒体を形成し、これが引き続き第１濃厚水性吸収媒体部分と第２濃厚水性吸収媒体部分に分割されるように、前記第１凝縮流の少なくとも一部を前記接触工程に供給することによって得られた前記第１濃厚水性吸収媒体部分と前記第２濃厚水性吸収媒体部分を含む、上記１に記載の方法。
１５．熱が、前記入来ガス流から前記濃厚水性吸収媒体、前記第１濃厚水性吸収媒体部分又は前記第２濃厚水性吸収媒体部分の少なくとも１つに移動する、上記１４に記載の方法。
１６．熱が、頭上ガス流から前記濃厚水性吸収媒体、前記第１濃厚水性吸収媒体部分又は前記第２濃厚水性吸収媒体部分の少なくとも１つに移動する、上記１４又は１５に記載の方法。
１７．水蒸気を導入して前記脱着工程に熱を供給し、かつ復水を形成する工程及び前記復水をフラッシュさせてフラッシュ水蒸気を形成する工程をさらに含み、熱が、前記フラッシュ水蒸気から前記濃厚水性吸収媒体、前記第１濃厚水性吸収媒体部分又は前記第２濃厚水性吸収媒体部分の少なくとも１つに移動する、上記１４〜１６のいずれか１項に記載の方法。
１８．熱が、前記再生水性吸収媒体から前記濃厚水性吸収媒体、前記第１濃厚水性吸収媒体部分又は前記第２濃厚水性吸収媒体部分の少なくとも１つに移動する、上記１４〜１７のいずれか１項に記載の方法。
１９．前記希薄処理ガス流の少なくとも一部を処理して第２凝縮流を回収する工程をさらに含み、かつ前記加熱流が、前記第１凝縮流の少なくとも一部を前記第２凝縮流の少なくとも一部と混合して混合凝縮流を形成し、引き続き前記混合凝縮流を第１混合凝縮流部分と第２混合凝縮流部分に分割することによって得られた前記第１混合凝縮流部分と前記第２混合凝縮流部分を含む、上記１に記載の方法。
２０．熱が、前記入来ガス流から前記混合凝縮流、前記第１混合凝縮流部分又は前記第２混合凝縮流部分の少なくとも１つに移動する、上記１９に記載の方法。
２１．熱が、前記頭上ガス流から前記混合凝縮流、前記第１混合凝縮流部分又は前記第２混合凝縮流部分の少なくとも１つに移動する、上記１９又は２０に記載の方法。
２２．水蒸気を導入して前記脱着工程に熱を供給し、かつ復水を形成する工程及び前記復水をフラッシュさせてフラッシュ水蒸気を形成する工程をさらに含み、熱が、前記フラッシュ水蒸気から前記混合凝縮流、前記第１混合凝縮流部分又は前記第２混合凝縮流部分の少なくとも１つに移動する、上記１９〜２１のいずれか１項に記載の方法。
２３．熱が、前記再生水性吸収媒体から前記混合凝縮流、前記第１混合凝縮流部分又は前記第２混合凝縮流部分の少なくとも１つに移動する、上記１９〜２２のいずれか１項に記載の方法。
２４．前記再生水性吸収媒体を再循環させて前記接触工程に戻す工程をさらに含む、上記１〜２３のいずれか１項に記載の方法。
２５．前記入来ガス流が燃焼排ガスである、上記１〜２４のいずれか１項に記載の方法。
２６．前記ガス成分が二酸化炭素である、上記１〜２５のいずれか１項に記載の方法。
２７．前記希薄水性吸収媒体がモノエタノールアミン、メチルジエタノールアミン及び適切な溶媒である、上記１〜２６のいずれか１項に記載の方法。
２８．モノエタノールアミンとメチルジエタノールアミンのモル比が約1.5：１〜約４：１であり、かつモノエタノールアミンとメチルジエタノールアミンの総モル濃度が約３モル／リットル〜約９モル／リットルである、上記２７に記載の方法。
２９．モノエタノールアミンとメチルジエタノールアミンのモル比が約2.5：１であり、かつモノエタノールアミンとメチルジエタノールアミンの総モル濃度が約７モル／リットルである、上記２８に記載の方法。
３０．入来ガス流からガス成分を除去するための水性吸収媒体であって、モノエタノールアミン、メチルジエタノールアミン及び適切な溶媒を含み、モノエタノールアミンとメチルジエタノールアミンのモル比が約1.5：１〜約４：１であり、かつモノエタノールアミンとメチルジエタノールアミンの総モル濃度が約３モル／リットル〜約９モル／リットルである、前記水性吸収媒体。
３１．モノエタノールアミンとメチルジエタノールアミンのモル比が約2.5：１であり、かつモノエタノールアミンとメチルジエタノールアミンの総モル濃度が約７モル／リットルである、上記３０に記載の水性吸収媒体。
３２．水性吸収媒体の製造方法であって、以下の工程、
ａ）モノエタノールアミンを準備する工程、
ｂ）メチルジエタノールアミンを準備する工程、
ｃ）適切な溶媒を準備する工程、
ｄ）前記モノエタノールアミン、前記メチルジエタノールアミン及び前記溶媒を混合して前記水性吸収媒体を形成する工程、
を含み、かつ
モノエタノールアミンとメチルジエタノールアミンのモル比が約1.5：１〜約４：１であり、かつモノエタノールアミンとメチルジエタノールアミンの総モル濃度が約３モル／リットル〜約９モル／リットルであることを特徴とする方法。
３３．モノエタノールアミンとメチルジエタノールアミンのモル比が約2.5：１であり、かつモノエタノールアミンとメチルジエタノールアミンの総モル濃度が約７モル／リットルである、上記３２に記載の方法。
３４．入来ガス流からガス成分を除去するための方法であって、前記入来ガス流を、モノエタノールアミン、メチルジエタノールアミン及び適切な溶媒を含み、モノエタノールアミンとメチルジエタノールアミンのモル比が約1.5：１〜約４：１であり、かつモノエタノールアミンとメチルジエタノールアミンの総モル濃度が約３モル／リットル〜約９モル／リットルである水性吸収媒体と接触させる工程を含む、前記方法。
３５．モノエタノールアミンとメチルジエタノールアミンのモル比が約2.5：１であり、かつモノエタノールアミンとメチルジエタノールアミンの総モル濃度が約７モル／リットルである、上記３３に記載の方法。